(57)【要約】      （修正有）【課題】整経時に所定の柄経糸の特性がデザインなどに反映し得る柄経糸用整経機を提供する。【解決手段】整経機１は整経ドラム２と、整経ドラム２の周りを公転可能な複数の糸ガイド７と、複数のボビン４を備えた回転式クリール３とを有し、回転式クリールと糸ガイドとの間には、前記複数のボビンから引き出された糸５が通る複数の糸道が形成される。各糸道には、糸の張力を検出する張力センサ１２と、糸の張力を調整可能なテンション装置１４が配置されている。張力センサとテンション装置とは、調節機構１５に接続されている。調節機構は張力センサで検出された張力に応じてテンション装置１４を制御する。【選択図】図１
2008031621.tif 000002
【特許請求の範囲】
【請求項１】
整経ドラム（２）と、整経ドラム（２）の周りを公転可能な複数の糸ガイド（７）と、複数のボビン（４）を備えた回転式クリール（３）とを有し、回転式クリール（３）と糸ガイド（７）との間に前記複数のボビン（４）から引き出された糸（５）が通る複数の糸道が形成される柄経糸用整経機（１）において、
各糸道には、前記糸（５）の張力を検出する張力センサ（１２）と、前記糸（５）の張力を調整可能なテンション装置（１４）が配置され、
前記張力センサ（１２）と前記テンション装置（１４）とは、調節機構（１５）に接続され、
前記調節機構（１５）は、前記張力センサ（１２）で検出された張力に応じて前記テンション装置（１４）を制御することを特徴とする、柄経糸用整経機。
【請求項２】
前記調節機構（１５）は、伝送路（１７）を介して主制御装置（１８）と接続され
前記主制御装置（１８）は、糸（５）の張力の目標値を設定し、
前記調節機構（１５）は、前記主制御装置（１８）によって設定される前記目標値と前記張力センサ（１２）で検出された張力とを比較し、この比較結果に応じて前記テンション装置（１４）を制御し、糸（５）の張力を調整することを特徴とする、
請求項１に記載の柄経糸用整経機。
【請求項３】
前記伝送路（１７）には、無線路が含まれていることを特徴とする、
請求項２に記載の柄経糸用整経機。
【請求項４】
糸ガイド（７）がリング（１０）を介して連結され、
前記張力センサ（１２）は、前記リング（１０）に配置されていることを特徴とする、
請求項１〜３のいずれか１つに記載の柄経糸用整経機。
【請求項５】
前記糸道の各々には、前記糸（５）を整経ドラム（２）に案内する予備巻取器（６）が配置されており、
前記テンション装置（１４）は、前記糸（５）の搬送方向において、予備巻取器（６）より下流側に配置されていることを特徴とする、
請求項１〜４のいずれか１つに記載の柄経糸用整経機。
【請求項６】
前記テンション装置（１４）は、前記予備巻取器（６）の出口に配置されていることを特徴とする、
請求項５に記載の柄経糸用整経機。
【請求項７】
前記テンション装置（１４）は、前記調節機構（１５）によって電気的に操作可能であることを特徴とする、
請求項１〜６のいずれか１つに記載の柄経糸用整経機。
【請求項８】
テンション装置（１４）は、前記糸（５）の張力を調整可能な圧電素子を有することを特徴とする、
請求項７に記載の柄経糸用整経機。
【請求項９】
張力センサ（１２）は、整経ドラム（２）の半径方向の外側でのみ糸（５）が張力センサ（１２）に作用するように構成されていることを特徴とする、
請求項１〜８のいずれか１つに記載の柄経糸用整経機。
【発明の詳細な説明】
【技術分野】
【０００１】
本発明は、整経ドラムと、整経ドラムの周りを公転可能な複数の糸ガイドと、複数のボビンを備えた回転式クリールとを有し、回転式クリールと糸ガイドとの間に前記複数のボビン（４）から引き出された糸（５）が通る複数の糸道が形成される柄経糸用整経機に関する。
【背景技術】
【０００２】
短尺経糸用部分整経機と称すこともできる柄経糸用整経機は柄経糸または短尺経糸を整経するのに利用される。コーン式部分整経機では、整経ドラムが回転することによって多数の糸が固定されているクリールから引き出されて、この糸が整経ドラムの周面に巻き取られていく。これに対し柄経糸用整経機は、コーン式部分整経機と異なり、整経時に整経ドラムが停止しており、糸ガイドが整経ドラムの周りを公転することによって糸が整経ドラムの周面に巻き付けられるように構成されている。柄経糸用整経機の従来モデルでは、複数の糸を同時に処理できることに主眼が置かれていた。最新の柄経糸用整経機は、回転式クリールから引き出された複数の糸を整経ドラムの周面に巻き付けることができる。多くの場合、柄を形成する際に不必要な個々の糸を整経工程から外すことが可能である。
【０００３】
柄経糸用整経機において、回転式クリールと糸ガイドとの間の糸道は、基本的に同一のものに構成されている。しかし幾つかの機種において、糸道の構成において小さな相違点が存在し、この相違点が生成される経糸の品質の優劣、または品質の相違として表れる。糸道を厳密に同一のものに構成したとしても、たとえば異なる材料からなる糸を処理する場合、品質等に相違を生じることがある。（例えば、特許文献１参照）
【特許文献１】特開２００４−３４６４８０号公報
【発明の開示】
【発明が解決しようとする課題】
【０００４】
本発明の課題は、整経時に所定の柄経糸の特性が例えばデザインなどに反映し得るようにすることである。
【課題を解決するための手段】
【０００５】
上記課題は、冒頭に指摘した種類の柄経糸用整経機において、各糸道には、前記糸の張力を検出する張力センサと、前記糸の張力を調整可能なテンション装置が配置され、前記張力センサと前記テンション装置とは、調節機構に接続され、前記調節機構は、前記張力センサで検出された張力に応じて前記テンション装置を制御することによって解決される。
【０００６】
これにより、各糸道に調節回路が形成され、この調節回路で糸張力は所定値に調節することができる。こうして糸の張力に反映させることができる。これによって糸道において糸の材料がどのように扱われるのかだけで糸張力が決まることがなくなり、糸張力は、所望の値に調整することができる。このように張力を調節することによって、柄経糸において効果を達成することが可能である。特に望ましい場合、柄経糸の糸張力を均一化することが可能である。
【０００７】
主に、調節機構は、伝送路を介して主制御装置と接続され、前記主制御装置は、糸の張力の目標値を設定し、前記調節機構は、前記主制御装置によって設定される前記目標値と前記張力センサで検出された張力とを比較し、この比較結果に応じて前記テンション装置を制御し糸の張力を調整する。これによって糸の張力を一定に保つだけでなく、糸の張力に適切に反映させることも可能である。例えば、伝送路を介して主制御装置によって目標値を設定することができる。その場合、一つ一つの糸の張力に対し狙いを定めて強めまたは弱めることができる。これによって柄経糸のデザインに対して、さらに反映させることができる。また糸の張力は、例えば柄経糸の後処理の可能性を考慮して調整することができる。
【０００８】
主に、伝送路には無線路が含まれている。これによって主制御装置を、例えば計算機の態様で据付けるように配置しても、糸道とともに回転する調節機構に信号を伝送することが簡単にできる。用語「無線路」は、信号を伝送するための線路が設けられていないことを意味するのではない。むしろ「無線路」とは、赤外線信号又は磁気伝送信号等の信号によって情報を伝送する無線のことであり、「伝送路には無線路が含まれている」とは、このような無線路が伝送路に介在することを表現するものである。
【０００９】
主に、回転可能な軸と、前記軸からその半径方向外方に向って伸延し、先端に糸ガイドが配設されている複数の腕と、前記複数の腕の先端側を連結するリングとをさらに有し、張力センサは、リングに配置されている。糸ガイドの各々は、回転する軸から半径方向外方に向かって突出する腕の先端に配置されている。これらの腕は、相互に支え合いかつ安定させるために、その先端側がリングによって互いに結合されている。このように構成することで、糸ガイドに隣接するリングに張力センサを問題なく配置することができる。これによって整経ドラムの周面に巻き付けられる直前の各糸の張力を測定することができる。張力センサと整経ドラムとの間の区域において、大きな張力変化が生じることを抑制することができる。
【００１０】
主に、各糸道には、糸を整経ドラムに案内する予備巻取器が配置されており、テンション装置は、糸の搬送方向において、予備巻取器より下流側に配置されている。これによって糸の張力は、予備巻取器の影響を受けることなく調節される。つまり予備巻取器が糸に及ぼす得る諸影響は排除することができる。
【００１１】
その際、テンション装置が予備巻取器の出口に配置されていることが好ましい。これによって糸の張力の調節時に、安定性の向上することができる。糸は、その張力を調整する時に、いわばその最大自由長が考慮されるからである。
【００１２】
主に、テンション装置は、調節機構によって電気的に操作可能である。従って電気エネルギーを回転式クリールに伝送することが必要なだけである。電力の伝送は、例えばスリップリング、または回転する変圧器によって、難なく行うことができる。
【００１３】
その際、テンション装置は、前記糸の張力を調整可能な圧電素子を有することが好ましい。この圧電素子によって、糸の張力を調整するために必要な力を、より正確に調整することができる。圧電素子は、十分に大きな反応速度で制御することができる。
【００１４】
主に、張力センサは整経ドラムの半径方向の外側でのみ糸が張力センサに作用するように構成されている。従って、回転速度およびそれに伴って糸に作用する遠心力が持ち得る諸影響は抑制することができる。これによって糸自体の張力だけを測定することができる。
【００１５】
以下、好ましい実施例に基づいて図面と合せて本発明が説明される。
【発明を実施するための最良の形態】
【００１６】
図１は、柄経糸用整経機１において整経ドラム２の正面が示され、しかも整経ドラム２が回転式クリール３に向き合っている状態がわかる部分が図示されている。
【００１７】
回転式クリール３内には、複数のボビン４が配置されている。各ボビン４から糸５が引き出され、その糸５は予備巻取器６によって整経ドラム２の方に案内されている。
【００１８】
予備巻取器６の出口から糸ガイド７へと糸５が延び、その糸５は、糸ガイド７の先端に形成されている糸ガイド孔８を通っている。このようにして糸５が、ボビン４から糸ガイド孔８を通って整経ドラム２に供給されることによって糸道が形成される。また糸ガイド７が双方向矢印９の方向に揺動可能に構成されている。この糸ガイド７が揺動することによって、糸ガイド孔８は、図示しているように、整経ドラム２の周面の周りを動くように、または回転式クリール３に対向する側の整経ドラム２の端部に位置するように位置決めされている。この位置に糸ガイド孔８があるとき、糸５は整経ドラム２の周面に巻き取られることはない。
【００１９】
糸ガイド７は、リング１０を介して後述する軸１１の周方向に互いに連結されている。さらに詳細に説明すると、軸１１は、その外周面に周方向に間隔をあけて詳しくは図示しない腕が設けられており、この腕が前記軸１１の外周面からその半径方向外方に向って延びている。糸ガイド７は、前記複数の腕の半径方向外側の先端にそれぞれ配置されており、リング１０は、前記複数の腕の前記先端側を連結するように設けられている。
【００２０】
軸１１は、糸ガイド７およびリング１０だけでなく、回転式クリール３も軸１１の軸線まわりに回転させる。これによって回転式クリール３と糸ガイド７は、同期して回転する。回転式クリール３内には複数のボビン４を配置することができ、本実施例では、回転式クリール３内には１６個までのボビン４を配置することができる。糸ガイド７は、ボビン４の数に応じて設けられ、本実施例では１６個設けられている。
【００２１】
リング１０には、糸ガイド７毎に張力センサ１２が設けられている。張力センサ１２は、糸５が整経ドラム２の周面に巻き付けられる直前に糸５の張力を検出する。本実施例において、張力センサ１２は、リング１０の半径方向に延び、かつ整列された３つのピン１３を有する。糸５は、これら３つのピンの間をＳ字状に案内されている。３つのピン１３のうちの中央のピン１３には、糸５にかかる張力に応じてリング１０の周方向に荷重が作用し、張力センサ１２は、この荷重によって糸５の張力に応じた信号を得ることができる。別の構成を有する張力センサも当然考えられる。この場合、糸５の張力だけを出力信号として取り出すことができ、リング１０の回転およびそれに伴って糸５に作用する遠心力によって加えられる力が、前記出力信号に影響しないように張力センサ１２を配置しておくのが好ましい。
【００２２】
各予備巻取器６の出口にテンション装置１４が配置されており、このテンション装置１４によって糸５の張力を調整することができる。テンション装置１４は、例えば圧電素子によって構成され、調節機構１５を介して操作される。この調節機構１５は、張力センサ１２から第１伝送路１６を介して糸５の張力の実測値を受け取り、第２伝送路１７を介して接続される主制御装置１８にて設定される目標値と比較する。そして調節機構１５は、比較結果に応じてテンション装置１４を制御し、糸５の張力を目標値に調節する。目標値は、例えば糸５の材料に応じて異なるように設定され得る。
【００２３】
例えばコンピュータによって構成される主制御装置１８は据付けられているが、回転式クリール３が軸１１まわりに回転する。それに伴って柄経糸用整経機１は、主制御装置１８から調節機構１５に無線で信号を伝送する伝送器１９を有する。つまり主制御装置１８と調節機構１５とを繋ぐ伝送路には、無線で信号を伝送する区間である無線路が存在しており、この無線路における信号は、例えば電気式、光学式、磁気式またはその他の方式で伝送され得る。スリップリングによる信号の伝送も理論的には可能である。
【００２４】
この柄経糸用整経機１でもって、例えば摩擦によって発生する各々の糸５の張力を補償することができる。このような糸５の張力の違いは、整経ドラム２で生成された柄経糸を処理するための後続プロセスにおいて、縞模様および着色具合が異なるという点で表面化し得る。
【００２５】
他方で各糸５の張力は、デザイン的特徴として利用することもできる。つまり、後の繊維ウェブにおいて縞模様または着色具合が異なることを強調するために、糸張力を変えることができる。
【産業上の利用可能性】
【００２６】
本発明は、柄用経糸を整経するための柄経糸用整経機に適用することができる。
【図面の簡単な説明】
【００２７】
【図１】柄経糸用整経機の要部略図である。
【符号の説明】
【００２８】
１  柄経糸用整経機
２  整経ドラム
３  回転式クリール
４  ボビン
５  糸
７  糸ガイド
１２  張力センサ
１４  テンション装置
１５  調節機構
【図１】
2008031621.tif 000003